(57)【要約】【課題】アウトソール１２の剥離が生じにくい釣り用履き物２の提供。【解決手段】釣り用履き物２は、アッパー４、インソール６、ミッドソール８、保持層１０、アウトソール１２、スパイク１４及び糸１６を備えている。アウトソール１２は、フェルトからなる。糸１６は、アウトソール１２の側面３０から斜め上方に延びている。糸１６は、アウトソール１２、保持層１０及びミッドソール８を貫通している。この糸１６の縫製により、本体とアウトソール１２とが堅固に接合されている。アウトソール１２は、本体から離脱しない。糸１６は、接地面２８には露出していない。この履き物２が使用されても、糸１６は地面と擦れ合わない。【選択図】図２
2007202815.tif 000002
【特許請求の範囲】
【請求項１】
本体とこの本体の底面に積層されたアウトソールとを備えており、この本体とアウトソールとが糸で縫製されることで接合されており、この糸が接地面に露出していない釣り用履き物。
【請求項２】
上記糸が、アウトソールの側面から斜め上方に延びて本体に至っている請求項１に記載の釣り用履き物。
【請求項３】
上記アウトソールの側面に、糸が通されるときの目印として凸部又は凹部が形成されている請求項２に記載の釣り用履き物。
【請求項４】
上記アウトソールがフェルトからなる請求項１から３のいずれかに記載の釣り用履き物。
【請求項５】
本体とこの本体の底面に積層されたアウトソールとを備えており、この本体とアウトソールとが連結手段によって接合されており、この連結手段がアウトソールを貫通しかつ接地面に露出していない釣り用履き物。
【発明の詳細な説明】
【技術分野】
【０００１】
本発明は、釣り人に着用される履き物に関する。
【背景技術】
【０００２】
海釣りは、海藻が付着した岩場、海水に濡れた防波堤等で行われる。釣りの足場は、スリップしやすいことが多い。スリップ防止の目的で、フェルト製のアウトソールを備えた履き物が用いられることが多い。このアウトソールは、ミッドソール等に積層される。アウトソールとミッドソールとは、接着剤で接合されている。典型的な接着剤は、ポリウレタンを基材とする。
【発明の開示】
【発明が解決しようとする課題】
【０００３】
接着剤は、経時変化によって劣化する。劣化により、アウトソールがミッドソールから剥離してしまうことがある。アウトソールが剥離した履き物は、もはや使用不可能である。海釣りでは、履き物が海水に濡れることが多い。この海水に含まれる塩分により、接着剤の劣化が促進される。特にポリウレタンを基材とする接着剤が海水に曝されると、加水分解によって激しい劣化が生じる。
【０００４】
履き物は、繰り返しの使用によりアウトソールの摩耗、アッパーの損傷等が進行し、やがて寿命を迎える。通常の使用頻度であれば、寿命までにアウトソールが剥離することはない。しかし、使用頻度が極めて少なく、かつ海水に濡れたまま放置されることが多い場合、摩耗、損傷等が進行していないにもかかわらず、アウトソールの剥離によって履き物が使用不可能となる場合がある。
【０００５】
本発明の目的は、アウトソールの剥離が生じにくい釣り用履き物の提供にある。
【課題を解決するための手段】
【０００６】
本発明に係る釣り用履き物は、本体と、この本体の底面に積層されたアウトソールとを備える。この本体とアウトソールとは、糸で縫製されることで接合されている。この糸は、接地面に露出していない。
【０００７】
好ましくは、糸は、アウトソールの側面から斜め上方に延びて本体に至っている。好ましくは、アウトソールの側面に、糸が通されるときの目印として凸部又は凹部が形成される。好ましくは、アウトソールはフェルトからなる。
【０００８】
本発明に係る他の釣り用履き物は、本体と、この本体の底面に積層されたアウトソールとを備える。この本体とアウトソールとは、連結手段によって接合されている。この連結手段は、アウトソールを貫通しており、かつ接地面に露出していない。
【発明の効果】
【０００９】
この釣り用履き物では、糸（連結手段）によってアウトソールが本体と堅固に接合される。このアウトソールは、本体から剥離しにくい。糸は接地面に露出していないので、この糸は摩滅しにくい。
【発明を実施するための最良の形態】
【００１０】
以下、適宜図面が参照されつつ、好ましい実施形態に基づいて本発明が詳細に説明される。
【００１１】
図１は本発明の一実施形態に係る釣り用履き物２が示された正面図であり、図２はその一部が示された拡大断面図である。この履き物２は、アッパー４、インソール６、ミッドソール８、保持層１０、アウトソール１２、スパイク１４及び糸１６を備えている。アッパー４、インソール６、ミッドソール８及び保持層１０は、本体を構成する。
【００１２】
アッパー４は、布製である。典型的には、アッパー４にメッシュ状の布地が用いられる。アッパー４が、合成樹脂又はゴムからなってもよい。アッパー４は、ハトメ１８を備えている。このハトメ１８には、紐２０が通されている。アッパー４はまた、フラップ２２も備えている。アッパー４には、合成樹脂製のガード２４が積層されている。
【００１３】
インソール６は、布又は発泡合成樹脂からなる。このインソール６は、履き物２を履く動作において、足の滑りに寄与する。インソール６はまた、履き心地に寄与する。インソール６が省略されてもよい。
【００１４】
ミッドソール８は、インソール６と積層されている。インソール６とミッドソール８とは、接着剤により接合されている。ミッドソール８は、ゴム又は合成樹脂を基材とする。典型的な基材は、エチレン−酢酸ビニル共重合体（ＥＶＡ）である。ミッドソール８は、発泡体からなる。ミッドソール８は、衝撃吸収に寄与する。
【００１５】
保持層１０は、ミッドソール８と積層されている。ミッドソール８と保持層１０とは、接着剤により接合されている。接着剤の基材ポリマーとしては、ポリウレタン（ＰＵ）、ポリクロロプレン（ＣＲ）及びアクリロニトリル−ブタジエン共重合体（ＮＢＲ）が例示される。接着剤が省略されてもよい。保持層１０は、発泡合成樹脂からなる。保持層１０の典型的な基材樹脂は、エチレン−酢酸ビニル共重合体である。保持層１０の発泡倍率は、ミッドソール８の発泡倍率よりも大きい。保持層１０は、変形能に優れる。
【００１６】
アウトソール１２は、保持層１０（すなわち本体）と積層されている。保持層１０とアウトソール１２とは、接着剤で接合されている。接着剤の基材ポリマーとしては、ポリウレタン（ＰＵ）、ポリクロロプレン（ＣＲ）及びアクリロニトリル−ブタジエン共重合体（ＮＢＲ）が例示される。接着剤が省略されてもよい。このアウトソール１２は、フェルトからなる。板状のフェルトが型で打ち抜かれることにより、アウトソール１２が形成される。フェルトは、釣り場でのスリップを抑制する。アウトソール１２が、ゴム又は合成樹脂からなってもよい。アウトソール１２は、上面２６、底面２８及び側面３０を備えている。底面２８は、接地面を構成する。
【００１７】
スパイク１４は、２本のピン３２と、これらピン３２を連結する連結棒３４とからなる。ピン３２は、アウトソール１２を上下方向に貫通している。ピン３２の下端は、接地面２８に露出している。岩場でアウトソール１２に局部的な力が加わったとき、アウトソール１２の圧縮によってピン３２の下端がアウトソール１２から突出する。突出したピン３２により、スリップが抑制される。連結棒３４は、保持層１０に埋設されている。保持層１０は、変形により連結棒３４を包み込み、これを保持する。
【００１８】
図３は、図１の履き物２の一部が示された断面斜視図である。この図３には、履き物２の爪先近傍が示されている。この図３には、ミッドソール８、保持層１０、アウトソール１２及び糸１６が示されている。図３では、インソール６の図示が省略されている。図２及び図３から明らかなように、糸１６はアウトソール１２の側面３０から斜め上方に延びている。糸１６は、アウトソール１２、保持層１０及びミッドソール８を貫通している。この糸１６の縫製により、本体とアウトソール１２とが堅固に接合されている。アウトソール１２の側面３０には、糸１６による縫い目３６が形成されている。ミッドソール８の上面３８にも、縫い目４０が形成されている。図示されていないが、踵近傍も同様の構成の縫い目３６、４０を備えている。
【００１９】
履き物２が海水に濡れて、加水分解により接着剤が劣化しても、アウトソール１２と本体とが縫製されているので、アウトソール１２は本体から剥離しない。糸１６は接地面２８には露出していないので、この履き物２が使用されても糸１６は地面と擦れ合わない。換言すれば、糸１６は摩滅しない。この履き物２は、長持ちする。
【００２０】
図４は図１の履き物２のアウトソール１２が示された底面図であり、図５はその一部が示された拡大底面図である。この図４及び図５には、アウトソール１２の上面２６が示されている。このアウトソール１２は、側面３０に微小な多数の凸部４２を備えている。図１から明らかなように、凸部４２は筋状であり、上下方向に延在している。この凸部４２は、糸１６による縫製の目印とされる。作業者は、この凸部４２に針を突き刺し、糸１６を通す。凸部４２により、均一な縫い目３６、４０が形成される。この凸部４２は、多数の凹部を備えた型で板状のフェルトが打ち抜かれることで形成されうる。側面３０に、凸部４２ではなく凹部が形成され、この凹部が縫製時の目印とされてもよい。
【００２１】
図４から明らかなように、アウトソール１２のうち爪先近傍及び踵近傍のみに縫製がなされている。接着剤が劣化した場合でも、爪先近傍及び踵近傍において縫製によりアウトソール１２が本体と接合されているので、アウトソール１２が本体から離脱しない。部分的な縫製により、短い作業時間が達成されうる。もちろん、アウトソール１２の全体にわたって縫製がなされてもよい。
【００２２】
図４において、両矢印Ｌで示されているのはアウトソール１２の全長であり、両矢印Ｌｔで示されているのは爪先近傍において縫製が施されている領域の長さであり、両矢印Ｌｈで示されているのは踵近傍において縫製が施されている領域の長さである。アウトソール１２の離脱が確実に防止されるとの観点から、全長Ｌに対する長さＬｔの比（Ｌｔ／Ｌ）及び全長Ｌに対する長さＬｈの比（Ｌｈ／Ｌ）は０．０５以上が好ましく、０．１０以上がより好ましい。
【００２３】
アウトソール１２を上下方向に貫通する糸により、本体とアウトソール１２とが接合されてもよい。この場合、アウトソール１２の底面に、第二のアウトソールが積層される。第二のアウトソールの底面は、接地面を構成する。第二のアウトソールにより、糸の接地面への露出が防止される。
【００２４】
接地面に溝が形成されてもよい。アウトソールを上下方向に貫通する糸により、この溝に縫い目が形成される。この場合も、糸は接地面に露出しない。
【００２５】
糸に代えて、他の連結手段が用いられてもよい。他の連結手段としては、金属線材及びリベットが例示される。
【産業上の利用可能性】
【００２６】
本発明に係る履き物は、種々の釣り場において利用されうる。本発明に係る履き物には、ブーツ及びウェーダーが含まれる。
【図面の簡単な説明】
【００２７】
【図１】図１は、本発明の一実施形態に係る釣り用履き物が示された正面図である。
【図２】図２は、図１の履き物の一部が示された拡大断面図である。
【図３】図３は、図１の履き物の一部が示された断面斜視図である。
【図４】図４は、図１の履き物のアウトソールが示された底面図である。
【図５】図５は、図４のアウトソールの一部が示された拡大底面図である。
【符号の説明】
【００２８】
２・・・釣り用履き物
４・・・アッパー
６・・・インソール
８・・・ミッドソール
１０・・・保持層
１２・・・アウトソール
１４・・・スパイク
２６・・・上面
２８・・・底面
３０・・・側面
３６、４０・・・縫い目
４２・・・凸部
【図１】
2007202815.tif 000003
【図２】
2007202815.tif 000004
【図３】
2007202815.tif 000005
【図４】
2007202815.tif 000006
【図５】
2007202815.tif 000007